(57)【要約】      （修正有）【課題】手洗器のボウル部、特に排水口に、汚れや異物が溜まっても外観を向上させることのできる手洗器を提供する。【解決手段】手洗器は、洗浄水を吐出する水栓１０７と、洗浄水を受けるボウル１０３と、ボウル１０３に設けられた排水口１０４とを備え、ボウル１０３は、使用者から排水口１０４が見えないように遮る遮蔽部１０９を有する。【選択図】図１
2015025310.tif 000002
【特許請求の範囲】
【請求項１】
洗浄水を吐出する水栓と、
前記洗浄水を受けるボウルと、
前記ボウルに設けられた排水口と、
を備え、
前記ボウルは、使用者から前記排水口が見えないように遮る遮蔽部を有する
手洗器。
【請求項２】
前記ボウルの底は、下段と、当該下段よりも高い位置に存在し且つ当該下段よりも使用者の位置する手前側に設けられた前記遮蔽部としての上段とを有し、
前記排水口は、前記上段と前記下段との間又は前記下段に設けられた
請求項１に記載の手洗器。
【請求項３】
前記水栓は手洗用の洗浄水を吐出する第１の水栓であり、
前記手洗器の手前側に存在する使用者を検知する人感センサと、
前記人感センサと連携し、使用者が去った後、前記ボウルを洗浄するための洗浄水を吐出する第２の水栓と、
をさらに備える請求項１又は２に記載の手洗器。
【請求項４】
前記排水口は排泄物を洗い流し可能であり、前記手洗器はオストメイト対応汚物流しとして利用可能な
請求項１から３のいずれか一項に記載の手洗器。
【請求項５】
洗浄水を吐出する水栓と、洗浄水を受けるボウルと、前記ボウルに設けられた排水口とを備え、前記ボウルは、使用者から前記排水口が見えないように遮る遮蔽部を有する手洗器と、
前記水栓が吐出する水量を制御するための設定情報を記憶するデータ記憶部と、
ネットワークと接続され、当該ネットワークを介して前記設定情報を受信し、前記データ記憶部に記憶させる通信部と、
前記データ記憶部に記憶されている前記設定情報に基づいて前記水栓が吐出する水量を制御する水栓制御部と、
を備える洗面所。
【請求項６】
洗浄水を吐出する水栓と、洗浄水を受けるボウルと、前記ボウルに設けられた排水口とを備え、前記ボウルは、使用者から前記排水口が見えないように遮る遮蔽部を有する手洗器と、
前記水栓の動作履歴を記憶するデータ記憶部と、
ネットワークと接続され、当該ネットワークを介して前記動作履歴を所定の装置へ送信する通信部と、
を備える洗面所。
【請求項７】
前記手洗器を複数備え、
前記動作履歴から求められる、所定期間内における前記水栓ごとの使用率に、所定の閾値以上の差が生じた場合、前記通信部は、当該差の発生を示す情報を所定の装置へ送信し、当該所定の装置に出力させる
請求項６に記載の洗面所。
【発明の詳細な説明】
【技術分野】
【０００１】
本発明は、手洗器及び洗面所に関する。
【背景技術】
【０００２】
洗面所などに設けられる手洗器は、洗浄水を用いて、手に付着していた汚れや洗剤を排水管へ流せるように、水を受けるボウル部を備えている。ボウル部の内側には汚れが残ることがあり、詰まりの発生を抑止するため及び清潔な外観を保つためには、清掃する必要がある。
【０００３】
また、水受け面に当接し、水あか等を除去するスクレーパを備える手洗器が提案されている（例えば、特許文献１）。なお、スクレーパは、水を受けて又は使用者の操作によって、水受け面に当接しつつ回転する。
【０００４】
また、ボウル部を水で洗浄する洗面器も提案されている（例えば、特許文献２）。この洗面器は、使用者がリム吐水ノブを操作して、リム吐水口から洗浄水を吐水させるようになっている。
【先行技術文献】
【特許文献】
【０００５】
【特許文献１】特開２００９−７８８４号公報
【特許文献２】特開２００２−２８２１４７号公報
【発明の概要】
【発明が解決しようとする課題】
【０００６】
手洗器のボウル部、特に排水口には、汚れや異物が溜まり易い。そこで、本発明は、手洗器の外観を向上させることを目的とする。
【課題を解決するための手段】
【０００７】
本発明に係る手洗器は、洗浄水を吐出する水栓と、洗浄水を受けるボウルと、ボウルに設けられた排水口とを備え、ボウルは、使用者から排水口が見えないように遮る遮蔽部を有する。
【０００８】
このようにすれば、汚れや異物が溜まり易い排水口が使用者から見えないように遮ることができる。したがって、本発明によれば、手洗器の外観を向上させることができる。
【０００９】
また、ボウルの底は、下段、及び当該下段よりも高い位置に存在し且つ当該下段よりも使用者の位置する手前側に設けられた遮蔽部としての上段を有し、排水口は、上段と下段との間又は下段に設けられていてもよい。例えば遮蔽部をこのように設けることで、使用者から見えないように遮ることができる。
【００１０】
また、水栓は手洗用の洗浄水を吐出する第１の水栓であり、手洗器の手前側に存在する使用者を検知する人感センサと、人感センサと連携し、使用者が去った後、ボウルを洗浄するための洗浄水を吐出する第２の水栓とをさらに備える手洗器としてもよい。このようにすれば、手洗器の使用後にボウルを洗浄することができ、手洗器を清潔に保つことができる。
【００１１】
また、排水口は排泄物を洗い流し可能であり、手洗器はオストメイト対応汚物流しとし
て利用可能にしてもよい。このようにすれば、手洗器の用途が広がり、利便性が向上する。
【００１２】
本発明の他の側面に係る洗面所は、洗浄水を吐出する水栓と、洗浄水を受けるボウルと、ボウルに設けられた排水口とを備え、ボウルは、使用者から排水口が見えないように遮る遮蔽部を有する手洗器と、水栓が吐出する水量を制御するための設定情報を記憶するデータ記憶部と、ネットワークと接続され、当該ネットワークを介して設定情報を受信し、データ記憶部に記憶させる通信部と、データ記憶部に記憶されている設定情報に基づいて水栓が吐出する水量を制御する制御部とを備える。
【００１３】
このようにすれば、手洗器の外観を向上させることができるとともに、遠隔地から手洗器の設定を変更することができるようになる。
【００１４】
本発明の他の側面に係る洗面所は、洗浄水を吐出する水栓と、洗浄水を受けるボウルと、ボウルに設けられた排水口とを備え、ボウルは、使用者から排水口が見えないように遮る遮蔽部を有する手洗器と、水栓の動作履歴を記憶するデータ記憶部と、ネットワークと接続され、当該ネットワークを介して動作履歴を所定の装置へ送信する通信部とを備える。
【００１５】
このようにすれば、手洗器の外観を向上させることができるとともに、遠隔地において手洗器の動作履歴を取得することができるようになる。
【００１６】
また、手洗器を複数備え、動作履歴から求められる、所定期間内における水栓ごとの使用率に、所定の閾値以上の差が生じた場合、通信部は、当該差の発生を示す情報を所定の装置へ送信し、当該所定の装置に出力させるようにしてもよい。このようにすれば、遠隔地にて手洗器の異常を出力させることができる。
【００１７】
なお、課題を解決するための手段に記載した内容は、本発明の課題や技術的思想を逸脱しない範囲で可能な限り組み合わせることができる。
【発明の効果】
【００１８】
本発明によれば、手洗器の外観を向上させることができる。
【図面の簡単な説明】
【００１９】
【図１】手洗器の一例を示す斜視図である。
【図２Ａ】手洗器の一例を示す平面図である。
【図２Ｂ】手洗器の一例を示す正面図である。
【図２Ｃ】手洗器の一例を示すＡ−Ａ断面図である。
【図３】システムの一例を示す機能ブロック図である。
【図４】洗面所の一例を示す機能ブロック図である。
【図５】洗面所の一例を示す斜視図である。
【図６】コンピュータの一例を示す装置構成図である。
【図７】監視処理の一例を示す処理フローである。
【図８】設定変更処理の一例を示す処理フローである。
【図９】設定の一例を示す図である。
【発明を実施するための形態】
【００２０】
＜手洗器の構成＞
以下、本発明の実施の形態について、図面に基づいて説明する。なお、実施の形態は本発明の一例であり、本発明の構成は以下の例には限られない。
【００２１】
図１は、本実施形態に係る手洗器１０の一例を示す斜視図である。また、図２Ａ、図２Ｂ及び図２Ｃは、本実施形態に係る手洗器１０の一例を示す平面図、正面図及びＡ−Ａ断面図である。手洗器１０は、手洗用の洗浄水（「手洗水」とも呼ぶ）を吐出する手洗用水栓（「第１の水栓」とも呼ぶ）１０１と、手洗用水栓１０１の前に手がかざされたことを、例えば赤外線を利用して検知する手検知センサ１０２と、水を受けるボウル部（単に「ボウル」とも呼ぶ）１０３と、排水口１０４と、目皿１０５と、排水管１０６と、ボウル部１０３を洗浄するための洗浄水を吐出するボウル洗浄用水栓１０７と、手洗器１０の前に人が存在することを例えば赤外線を利用して検知する人感センサ１０８とを有する。なお、手洗器１０は、自動又は手動で洗剤を吐出する洗剤保持部をさらに有していてもよい。また、手洗器１０は、手検知センサ１０２の代わりに手洗用水栓１０１を吐水又は止水させるためのつまみ又はレバーを有していてもよい。本実施形態では、手洗器１０に対して使用者が位置し、手洗用水栓１０１から手洗水が吐出される方向を「手前」と呼び、その反対方向を「奥」と呼ぶ。
【００２２】
手洗用水栓１０１は、水道水や井戸水の水管の流出口に設けられた水栓である。また、手洗用水栓１０１の周辺には手検知センサ１０２が設けられている。手検知センサ１０２は、例えば赤外線センサであり、手検知センサ１０２が、手洗用水栓１０１の前に使用者が手をかざしたことを検知した場合、電磁弁、電動弁等のような、図示していない電気的駆動弁を駆動させて、手洗用水栓１０１は手洗水を吐出する。なお、手洗器１０は、電気的駆動弁を制御して手洗用水栓１０１から手洗水を吐出させる、図示していない水栓制御部を有する。また、手洗器１０は、図示していない記憶部を備えるようにし、１回の吐出で放流する水量を記憶させられるようにしてもよい。この場合、記憶部には、フラッシュメモリ、ＨＤＤ、ＳＳＤ等を用いるようにしてもよい。
【００２３】
また、ボウル部１０３は、水を受けて排水管へ排水することができるように、例えば底の一部に排水口１０４を有している。排水口１０４には、排水管への異物の流出を防止するための目皿（「排水トラップ」、「ストレイナー」とも呼ぶ）１０５がはめ込まれていてもよい。また、排水口１０４には、排水管１０６が接続されている。本実施形態では、ボウル部１０３の底に段差が設けられており、ボウル部１０３の底は手前側よりも奥側の方が低くなっている。そして、段差の間（すなわち、上段と下段との間隙）に、奥側から手前側に向けて排水できる排水口１０４が設けられている。換言すれば、ボウル部１０３の底には、使用者の視点から排水口１０４及び目皿１０５が隠れるように段差が設けられている。ここで、使用者から排水口１０４及び目皿１０５が見えないように遮る上段部分を「遮蔽部」とも呼ぶ。このようにすれば、ごみ等が溜まりがちな排水口１０４及び目皿１０５が使用者から見えなくなり、手洗器１０の外観を向上させることができる。なお、トラップを有する配水管１０６は、金属で形成してもよいし、ボウル部１０３と同様に陶器で形成してもよい。また、排水口１０４は、段差の間でなく段差近傍の下段部分に設けられていても、遮蔽部により使用者の目から隠すことができる。
【００２４】
また、本実施形態では、手洗用水栓１０１は、ボウル部１０３の縁の少なくとも一部よりも低い位置に設けられている。このようにすれば、使用者が手を洗う際に飛沫がボウル部１０３の外に飛びにくくなる。
【００２５】
さらに、手洗器１０は、ボウル部１０３を洗浄するボウル洗浄用水栓（「第２の水栓」とも呼ぶ）１０７を有している。本実施形態では、ボウル洗浄用水栓１０７は、正面視で手洗用水栓１０１の下方に設けられている。また、図２Ｂにおいて一点鎖線の矢印で示すように、ボウル洗浄用水栓１０７は、ボウル部１０３の内壁に沿ってボウルを洗浄するための洗浄水（「ボウル洗浄水」とも呼ぶ）を吐出する。なお、ボウル洗浄水は、図２Ｂに示すように正面視で左右に吐出するようにしてもよいし、いずれか一方に吐出するように
してもよい。また、左右に吐出する場合は、一方と他方とで吐出方向に角度差をつけたり、吐出タイミングに時間差をつけたりしてもよい。また、ボウル部１０３の縁に沿ってボウル洗浄用水栓１０７を設け、ボウル部１０３の縁から内壁に沿ってボウル洗浄水を吐出するようにしてもよい。後述するように、ボウル洗浄水は、例えば、使用者が手洗器１０を使用した後に吐出される。このようにすれば、ボウル部１０３の内部を適切なタイミングで清掃できるようになる。なお、図示していない水栓制御部が電気的駆動弁を駆動させて、ボウル洗浄用水栓１０７を制御する。また、ボウル洗浄用水栓１０７が１回の吐出で放流する水量や水勢を、図示していない記憶部に設定を記憶させるようにしてもよい。
【００２６】
また、水道水等の水管の接続先を、図示していない切替弁を用いて、手動又は自動により、手洗用水栓１０１への配管、及びボウル洗浄用水栓１０７への配管のいずれかに変更できるようにしてもよい。
【００２７】
また、手洗器１０は、人感センサ１０８を有している。人感センサ１０８は、例えば、赤外線センサである。また、本実施の形態では、人感センサ１０８は、手洗器１の手前側に検出領域を有し、使用者の存在を検知する。図２Ｃに示すように、使用者から排水管１０６が見えないように遮蔽する覆い部１０９が、ボウル部１０３の縁から手前側に垂れ下がるように設けられ、例えば排水管の手前側のような使用者から見えない位置に、人感センサ１０８を設けるようにしてもよい。この場合、人感センサ１０８は、使用者の足元を検出領域とする。このように、覆い部１０９を設けることによっても、手洗器１０の外観を向上させることができる。
【００２８】
また、本実施形態では、例えば、使用者が手洗器の前から去ったことを人感センサ１０８が検知することにより、図示していない水栓制御部が電磁弁等のような電気的駆動弁を駆動させて、ボウル洗浄水を吐出させる。本実施形態では、人感センサ１０８を設けることにより、使用者が手洗器１０の使用を終えたタイミングでボウル部１０３を洗浄することができる。すなわち、使用者が手洗器１０の前で、例えば図示していない鏡を利用しているときに、ボウル洗浄水を吐出させてしまうようなことを避けることができる。また、異物がボウル内で固まって洗い流し難くなる前に、速やかにボウル部１０３を清掃できるようになる。なお、人感センサ１０８又はボウル洗浄用水栓１０７は、例えばタイマ機能を有するマイクロコントローラを含むようにしてもよい。この場合、ボウル洗浄用水栓１０７は、例えば、人感センサ１０８の検出領域から使用者が検出されなくなってから所定時間経過後に、ボウル洗浄水を吐出する。
【００２９】
また、手洗器１０は、排泄物又はおう吐物を流せるようにしてもよく、オストメイト（すなわち、「人工肛門保有者」又は「人工膀胱保有者」）対応トイレ（すなわち、汚物流し）として利用できるようにしてもよい。例えば、排水口１０４は目皿１０５を備えないようにし、排水口１０４の大きさ及び配水管１０６断面の大きさは汚物を洗い流し可能な程度とする。従来、オストメイト対応トイレでは、洗い流しが十分でなく、配管に汚物等が残ってしまうことがあった。また、トイレの使用率が低く、排水管１０６のトラップ等に長期間洗浄水が滞留するような場合、配管で汚物等が固まってしまうようなこともあった。本実施形態に係るボウル洗浄用水栓１０７によれば、使用後に所定量の洗浄水でボウル部１０３を自動的に洗浄し、排水管１０６の詰まりを抑止できるようになる。
【００３０】
＜実施形態２＞
手洗器は、稼働履歴（ログ）をネットワークを介して収集できるようにしたり、水栓が吐出する水量等の設定をネットワークを介して変更できるようにしたりしてもよい。図３は、本実施形態に係るシステム全体の構成を示す図である。本実施の形態に係るシステムは、１又は複数の手洗器１０ａを備える洗面所１と、サーバ２と、管理者端末３と、通知先サーバ４とを有し、これらがインターネット等のネットワーク５を介して相互に接続さ
れている。
【００３１】
洗面所１は、例えば、駅や公園、高速道路のサービスエリア、百貨店のような商業施設等に備えられ、公衆が利用できる設備である。また、洗面所１は、本実施形態に係る手洗器１０ａを備える。サーバ２は、洗面所１から情報を収集したり、洗面所１に設けられた機器の設定を変更するための情報を送信したりする。
【００３２】
また、管理者端末３は、洗面所１に関するサービスの提供者（すなわち、洗面所１の管理者）がシステムに接続するためのコンピュータである。サーバ２が収集したデータは、例えば、管理者端末３によって読み出され、集計されたり、異常がないか検証されたりする。また、洗面所１に設けられた機器の設定を、ネットワーク５を介して変更できるようにしてもよい。例えば、管理者端末３からサーバ２へ設定の変更を指示する情報を登録しておき、所定のタイミングでサーバ２から洗面所１へ変更を反映させるための情報を送信する。
【００３３】
また、通知先サーバ４は、例えば洗面所１において異常が検知された場合に、その旨を通知する宛先のコンピュータである。例えば、洗面所１において所定の状態が検知された場合、洗面所１からサーバ２へその旨を示す情報を送信し、サーバ２が電子メールを通知先サーバ４へ送信する。なお、洗面所１からサーバ２へ稼働履歴を示す情報を送信し、サーバ２において所定の状態を検知するようにしてもよい。また、洗面所１、サーバ２、管理者端末３及び通知先サーバ４の数は、１つには限られず、それぞれ複数の装置が処理を行うようにしてもよい。
【００３４】
図４は、手洗器１０ａを含む洗面所１の一例を示す機能ブロック図である。洗面所１は、手洗器１０ａと、制御部１１１と、データ記憶部１１２と、通信部１１３とを有する。また、手洗器１０ａは、手洗用水栓１０１ａと、手検知センサ１０２ａと、ボウル洗浄用水栓１０７ａと、人感センサ１０８ａと、データ記憶部１１０とを有する。また、本実施形態では、便宜上、手洗器１０ａとは別に、制御部１１１、データ記憶部１１２及び通信部１１３を示しているが、手洗器１０ａが制御部１１１、データ記憶部１１２及び通信部１１３を含むものとしてもよい。また、洗面所１は、複数の手洗器１０ａを備え、制御部１１１は、複数の手洗器１０ａを制御するようにしてもよい。なお、図４では一部の機能に関係する構成を図示しているが、手洗器１０ａはボウル部１０３等も有している。
【００３５】
図５は、洗面所１の一例を示す斜視図である。洗面所１は、手洗器１０ａと、制御部１１１とを有する。また、手洗器１０ａは、手洗用水栓１０１ａと、手検知センサ１０２ａと、ボウル部１０３と、排水口１０４と、目皿１０５と、排水管１０６と、ボウル洗浄用水栓１０７ａと、人感センサ１０８ａとを有する。また、手洗器１０ａは、制御部１１１と接続されている。具体的には、制御部１１１は、例えば、手洗器１０ａの図示していない記憶部１１０と接続される。また、記憶部１１０と手洗用水栓１０１ａ及びボウル洗浄用水栓１０７ａとが接続される。図５では、便宜的に、手洗用水栓１０１ａ及びボウル洗浄用水栓１０７ａを制御部１１１と接続して示している。また、制御部１１１は、図示していないデータ記憶部１１２及び通信部１１３と接続される。
【００３６】
制御部１１１は、マイクロコントローラやＣＰＵ（Central Processing Unit）等のよ
うな、プログラムを実行する処理装置であり、本実施形態に係る処理を制御する。制御部１１１は、手洗器１０ａのデータ記憶部１１０及び洗面所１のデータ記憶部１１２と接続されており、データの読み出しや書き込みを行うことができる。本実施形態では、手洗用水栓１０１ａ及びボウル洗浄用水栓１０７ａが１回の吐水で流す水の量（例えば、１回の吐水のために駆動弁を開く期間）の設定を、それぞれデータ記憶部１１０に記憶させておく。そして、手洗用水栓１０１ａ及びボウル洗浄用水栓１０７ａは、それぞれ設定された
水量に基づいて洗浄水を吐出する。具体的には、図示していない水栓制御部がデータ記憶部１１０の設定に基づいて駆動弁を制御することにより、各水栓から洗浄水を吐出させる。また、水栓制御部は、手洗用水栓１０１ａ及びボウル洗浄用水栓１０７ａがそれぞれ所定期間内に洗浄水を吐出した回数をカウントし、手洗器１０ａのデータ記憶部１１０に記憶させる。そして、制御部１１１は、所定のタイミングでデータ記憶部１１０から洗浄水を吐出した回数を読み出し、通信部１１３を介してサーバ２に送信する。
【００３７】
データ記憶部１１２は、例えばフラッシュメモリ等の記憶装置である。通信部１１３は、制御部１１１及びネットワーク５と有線又は無線により接続されている。なお、制御部１１１と、データ記憶部１１２とは、シリアルケーブル（例えば、多対多の通信が可能なＲＳ４８５インターフェイス）、いわゆるＬＡＮケーブルのようなツイストペアケーブル、その他の有線ケーブル、無線ＬＡＮやBluetooth等のような無線通信方式により接続す
る。また、洗面所１が複数の手洗器１０ａを有する場合は、各手洗器１０ａを一意に特定できる識別情報を予め設定しておき、制御部１１１は識別情報を用いて任意の手洗器１０ａと通信できるようにする。なお、ボウル部１０３、排水口１０４、目皿１０５及び排水管１０６の機能は、実施形態１と同様である。
【００３８】
図６に、コンピュータの装置構成図の一例を示す。サーバ２、管理者端末３及び通知先サーバ４は、図６に示すようなコンピュータである。コンピュータは、例えば、ＣＰＵ（Central Processing Unit）１００１、主記憶装置１００２、補助記憶装置１００３、通
信ＩＦ（Interface）１００４、入出力ＩＦ（Interface）１００５、ドライブ装置１００６、通信バス１００７を備えている。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。通信ＩＦ１００４は、他のコンピュータ装置との間でデータを送受信する。通信ＩＦ１００４は、具体的には、有線又は無線のネットワークカード等である。入出力ＩＦ１００５は、入出力装置と接続され、コンピュータのユーザから入力を受け付けたり、ユーザへ情報を出力したりする。入出力装置は、具体的には、キーボード、マウス、ディスプレイ又はタッチパネル等である。ドライブ装置１００６は、フレキシブルディスク、ＣＤ（Compact Disc）、ＤＶＤ（Digital Versatile Disc）、ＢＤ（Blu-ray Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。なお、洗面所１についても、図６に示すようなコンピュータを備え、ＣＰＵ１００１が制御部１１１として働くようにしてもよい。この場合、制御部１１１は、例えば入出力ＩＦ１００５又は通信ＩＦ１００４を介して、手洗器１０ａのデータ記憶部１１０にアクセスするようにしてもよい。
【００３９】
＜監視処理＞
図７は、本実施形態に係る監視処理の一例を示す処理フローである。まず、手検知センサ１０２ａは、当該センサの検出領域に使用者の手が存在するか判断する（図７：Ｓ（ステップ）１）。なお、本実施形態では、センサが判断するものとして説明しているが、図示していない水栓制御部がセンサからの信号の入力を受けて判断するようにしてもよい。手検知センサ１０２ａが使用者の手を検知した場合（Ｓ１：ＹＥＳ）、手洗用水栓１０１ａは、洗浄水を吐出する（Ｓ２）。本ステップでは、手洗用水栓１０１ａは、データ記憶部１１０に記憶されている１回の吐水で放流する水量の設定に基づいて、例えば駆動弁を
開く時間を制御したり、設定流量が可変である定流量弁の流量を制御する。また、本ステップでは、手洗用水栓１０１ａは、例えば１日ごとや所定時間ごと、吐水した回数を計数し、ログとしてデータ記憶部１１０に記憶させる。なお、ログとして吐水した時刻をさらに記憶させてもよい。その後、処理はＳ３に遷移する。一方、手検知センサ１０２ａが使用者の手を検知しない場合（Ｓ１：ＮＯ）も、処理はＳ３に遷移する。
【００４０】
また、人感センサ１０８ａは、使用者が手洗器１０ａの前を離れてから所定時間が経過したか判断する（Ｓ３）。すなわち、人感センサ１０８ａは、検出領域から使用者が検出されなくなってから所定時間が経過したか判断する。なお、本実施形態では、センサが判断するものとして説明しているが、図示していない水栓制御部がセンサからの信号の入力を受けて判断するようにしてもよい。所定時間は、例えば任意の時間をデータ記憶部１１０に設定しておく。使用者が手洗器１０ａの前を離れてから所定時間が経過したと判断された場合（Ｓ３：ＹＥＳ）、ボウル洗浄用水栓１０７ａは、洗浄水を吐出する（Ｓ４）。本ステップでは、ボウル洗浄用水栓１０７ａは、データ記憶部１１０に記憶されている１回の吐水で放流する水量の設定に基づいて、例えば駆動弁を開く時間を制御したり、設定流量が可変である定流量弁の流量を制御する。また、本ステップでは、ボウル洗浄用水栓１０７ａは、吐水した回数を計数し、ログとしてデータ記憶部１１０に記憶させる。なお、ログとして吐水した時刻をさらに記憶させてもよい。使用者が手洗器１０ａの前を離れてから所定時間が経過した場合にボウル部の洗浄を行うため、所定時間経過前に次の使用者が現れた場合には、ボウル部の洗浄をスキップすることができる。なお、所定時間をゼロに設定して、使用者が手洗器１０ａの前を離れるたびにボウル部を洗浄するようにしてもよい。その後、処理はＳ５に遷移する。一方、使用者が手洗器１０ａの前を離れてから所定時間が経過していないと判断された場合（Ｓ３：ＮＯ）も、処理はＳ５に遷移する。
【００４１】
次に、制御部１１１は、例えば所定のログ送信タイミングが到来したか、又はデータ記憶部１１０に記憶されているログに基づき、異常を検知したか判断する（Ｓ５）。ログ送信タイミングが到来した場合、又は異常を検知した場合（Ｓ５：ＹＥＳ）、制御部１１１は通信部１１３を介してサーバ２又は通知左記サーバ３へ警告のメッセージを送信する（Ｓ６）。制御部１１１は、例えば所定の時刻に、通信部１１３を介してログをサーバ２へ送信する。本ステップでは、制御部１１１は、例えばマイクロコントローラが有するタイマ機能を用いて予め定められたタイミングになったか判断する。
【００４２】
また、制御部１１１は、データ記憶部１１０に記憶されているログを読み出し、所定の条件を満たす場合にはサーバ２、通知左記サーバ４等に警告のメッセージを送信するようにしてもよい。例えば、洗面所１が複数の手洗器１０ａを有する場合において、一部の手洗器１０ａの使用率が低いとき、制御部１１１は警告のメッセージを送信する。すなわち、制御部１１１は、例えば、所定の条件として各手洗器１０ａの所定期間における使用率に所定の閾値以上の差があることを検知する。なお、使用率とは、例えば、洗面所１が備えるいずれかの手洗器１０ａの手洗用水栓１０１ａが吐水した回数に対する、特定の手洗器１０ａの手洗用水栓１０１ａが吐水した回数の割合をいうものとする。ここで、一部の手洗器１０ａに異物の詰まりが発生し、水の流れが悪くなった場合、当該手洗器１０ａの使用率が低くなることがある。本ステップでは、一部の手洗器１０ａの使用率が低くなった場合に制御部１１１が異常を検知し、警告のメッセージを送信する。監視処理では、以上のような処理を繰り返す。
【００４３】
本実施形態の監視処理によれば、例えば担当者が洗面所１を訪問する必要なく、手洗器１０ａの使用状況（稼働履歴）を遠隔監視することができるようになる。また、例えば担当者は、通知先サーバ４を介して詰まり等の異常が発生した疑いがある旨の通知を受け、速やかに対応することができるようになる。なお、本実施形態では制御部１１１が異常検知を行ったが、ログを受信したサーバ２等が異常を検知するようにしてもよい。
【００４４】
＜設定変更処理＞
図８は、洗面所１の設定変更処理の一例を示す処理フローである。洗面所１は、上で述べた監視処理に加えて、又は上で述べた監視処理に代えて、設定変更処理を実行するようにしてもよい。設定変更処理では、例えば管理者端末３からネットワーク５を介して手洗器１０ａに関する設定を変更できるようにする。
【００４５】
例えば、管理者端末３を操作する管理者は、洗面所１の手洗器１０ａを一意に識別することができるように予め設定された識別情報と、変更後の設定を示す情報とを含む変更指示情報を、任意のタイミングでサーバ２にアップロードしておく。機器の設定のうち変更できる項目の例としては、洗浄水の流量、水勢、温水・冷水の切り替え等がある。図９に、手洗器の動作設定の一例を示す。図９の例では、手洗器１０ａごとに、「手洗用水栓の水量」、「手洗用水栓の水勢」、「温水利用」、「ボウル洗浄用水栓の水量」、「ボウル洗浄用水栓の水勢」等の設定がされる。そして、管理者端末３を操作する管理者は、変更後の設定を、例えば、手洗器１０ａごとにＣＳＶ（Comma Separated Value）形式のファ
イルでサーバ２にアップロードしておく。
【００４６】
一方、所定の時刻に、又は所定の間隔で、図８に示した処理が実行される。まず、洗面所１の制御部１１１は、例えば、変更指示情報がアップロードされているか、ネットワーク５を介してサーバ２に問い合わせる（図８：Ｓ１１）。データが存在すると判断された場合（Ｓ１１：ＹＥＳ）、制御部１１１は、サーバ２から設定変更を指示するデータをダウンロードし、設定変更を反映させる（Ｓ１２）。本ステップでは、各手洗器１０ａのデータ記憶部１１０に設定を記憶させる。Ｓ１２の後、又はＳ１１においてデータが存在しないと判断された場合（Ｓ１１：ＮＯ）、処理はＳ１１に遷移し、図８の設定変更処理を繰り返す。
【００４７】
本実施形態の設定変更処理によれば、手洗器１０ａの動作設定をネットワーク５を介して変更できるようになる。
【００４８】
なお、所定の時刻や所定の間隔（「所定のタイミング」とも呼ぶ）を示す設定をデータ記憶部１１２に記憶させておき、洗面所１の通信部１１３は設定された所定のタイミングで、設定変更を指示するデータがアップロードされているか確認するようにしてもよい。また、本実施形態に係るシステムは、図３に示した洗面所１、サーバ２、管理者端末３及び通知先サーバ４を有する構成には限られない。例えば、サーバ２、管理者端末３及び通知先サーバ４が行う処理を、１つの装置が実行するようにしてもよい。
【００４９】
また、手洗器１０ａは、洗剤保持部及び手検知センサをさらに備えるようにし、使用者が手検知センサに手をかざした場合、洗剤が吐出されるようにしてもよい。そして、洗剤を吐出せずに手洗水又はボウル洗浄水を利用する場合よりも、洗剤を吐出した後に手洗水又はボウル洗浄水を利用する場合の方が、水量が多くなるように制御したり、水勢が強くなるように制御したりしてもよい。
【符号の説明】
【００５０】
１  洗面所
１０、１０ａ  手洗器
１０１、１０１ａ  手洗用水栓
１０２、１０２ａ  手検知センサ
１０３  ボウル部
１０４  排水口
１０５  目皿
１０６  排水管
１０７、１０７ａ  ボウル洗浄用水栓
１０８、１０８ａ  人感センサ
１０９  覆い部
１１０  制御部
１１１  データ記憶部
１１２  通信部
２  サーバ
３  管理者端末
４  通知先サーバ
５  ネットワーク
【図１】
2015025310.tif 000003
【図２Ａ】
2015025310.tif 000004
【図２Ｂ】
2015025310.tif 000005
【図２Ｃ】
2015025310.tif 000006
【図３】
2015025310.tif 000007
【図４】
2015025310.tif 000008
【図５】
2015025310.tif 000009
【図６】
2015025310.tif 000010
【図７】
2015025310.tif 000011
【図８】
2015025310.tif 000012
【図９】
2015025310.tif 000013